(57)【要約】  本発明は、大電流用プラグインコネクタ用のブシュ（１０）であって、該ブシュは、コンタクトスリーブ（１２）と、中空円筒形のコンタクト装置（２０）とを有している。コンタクト装置（２０）は、複数の縦長のコンタクト舌片（３４）を有していて、コンタクトスリーブ（１２）の内側領域（１８）内に配置されていて、その外壁の少なくとも一部で内壁（２６）に支持されている。コンタクト舌片（３４）は、コンタクト装置（２０）第１のカラー（３０）と第２のカラー（３２）との間において延びている。ブシュ（１０）は、１つのコンタクト舌片（３４）が、第１のカラー（３０）と第２のカラー（３２）との間の領域においてアーム（３６）を有しており、該アーム（３６）を介してコンタクト舌片（３４）は追加的に、コンタクト装置（２０）の１つのカラー（３０，３２）と支持作用を有するように結合されていることによって特徴付けられている。
2016529675.tif 000002
【特許請求の範囲】
【請求項１】
大電流用プラグインコネクタを形成する、円筒形のコンタクトピンを収容するブシュ（１０）であって、
中空円筒形に環状の内壁（２６）を備えたコンタクトスリーブ（１２）と、
中空円筒形のコンタクト装置（２０）であって、前記コンタクトスリーブ（１２）と、該コンタクトスリーブ（１２）のうち前記内壁（２６）によって取り囲まれた内側領域（１８）に挿入されたコンタクトピンと、の間の中間域において延在するように構成されたコンタクト装置（２０）と、を有しており、
該コンタクト装置（２０）は、複数の縦長のコンタクト舌片（３４）を有していて、該コンタクト舌片（３４）は、前記コンタクト装置（２０）の前記内側領域（１８）へのコンタクトピンの挿入時に、該コンタクトピンと前記コンタクトスリーブ（１２）との間において機械的及び電気的な接触接続部を形成するように、構成されており、
前記コンタクト装置（２０）は、前記コンタクトスリーブ（１２）の前記内側領域（１８）内に配置されていて、前記コンタクト装置（２０）はその周方向において前記コンタクトスリーブ（１２）の前記内壁（２６）に沿って延びていて、その外壁の少なくとも一部で前記内壁（２６）に支持されており、
コンタクト装置（２０）は、その両端面側にそれぞれ、周方向において環状に延びる、第１のカラー（３０）及び第２のカラー（３２）を有しており、
前記コンタクト舌片（３４）は、前記第１のカラー（３０）と前記第２のカラー（３２）との間において延びていて、それぞれの端部で前記カラー（３０，３２）に結合されている、ブシュ（１０）において、
１つのコンタクト舌片（３４）が、前記第１のカラー（３０）と前記第２のカラー（３２）との間の領域においてアーム（３６）を有しており、該アーム（３６）を介して前記コンタクト舌片（３４）は追加的に、前記コンタクト装置（２０）の１つのカラー（３０，３２）と支持作用を有するように結合されている
ことを特徴とするブシュ（１０）。
【請求項２】
前記コンタクト舌片（３４）は、前記アーム（３６）と共にＹ字形に形成されている、請求項１記載のブシュ（１０）。
【請求項３】
前記コンタクト舌片（３４）の前記アーム（３６）は、隣接したコンタクト舌片（３４）に支持されている、請求項１又は２記載のブシュ（１０）。
【請求項４】
前記コンタクト舌片（３４）及び／又は前記アーム（３６）は、前記コンタクト装置（２０）の半径方向における複数の湾曲部（３８，４０，４２）を有しており、該湾曲部（３８，４０，４２）は、それぞれ前記コンタクトピン又は前記コンタクトスリーブ（１２）と接触するように構成されている、請求項１から３までのいずれか１項記載のブシュ（１０）。
【請求項５】
前記コンタクト舌片（３４）及び前記アーム（３６）の空間的な配置及び前記湾曲部（３８，４０，４２）の空間的な配置は、最大湾曲部が前記コンタクトスリーブ（１２）の周方向において互いにずらされて配置されているように構成されている、請求項４記載のブシュ（１０）。
【請求項６】
前記コンタクト装置（２０）は、前記コンタクト舌片（３４）の前記湾曲部（３８，４０，４２）が変位力を加えられたときに前記コンタクトスリーブ（１２）の前記内壁（２６）に向かって弾発的に縮み、これによって前記コンタクト装置（２０）の全長が伸長するように構成されている、請求項４又は５記載のブシュ（１０）。
【請求項７】
前記コンタクト装置（２０）は、前記カラーのうちの１つにおいて前記コンタクトスリーブ（１２）に結合されている、請求項１から６までのいずれか１項記載のブシュ（１０）。
【請求項８】
前記コンタクトスリーブ（１２）の一方の端面側に配置された前記カラー（３０）は、突出部（２２）を有していて、該突出部（２２）は、前記コンタクトスリーブ（１２）の端面側の縁部を越えて突出しており、これによって前記コンタクトスリーブ（１２）内への前記コンタクト装置（２０）の進入する動きが制限される、請求項７記載のブシュ（１０）。
【請求項９】
前記コンタクト装置（２０）は、その長手方向長さにわたって間隙（５６）を有している、請求項１から８までのいずれか１項記載のブシュ（１０）。
【請求項１０】
前記コンタクト装置（２０）の前記カラー（３０，３２）の周囲が弾性的に拡開可能であり、かつ前記コンタクト装置（２０）の前記カラー（３０，３２）が、拡開されていない状態において少なくとも部分的に前記コンタクトスリーブ（１２）の内壁（２６）から間隔をおいて位置するように、前記コンタクト装置（２０）は構成されている、請求項１から９までのいずれか１項記載のブシュ（１０）。
【請求項１１】
請求項１から１０までのいずれか１項記載のブシュ（１０）を有する大電流用プラグインコネクタ。
【発明の詳細な説明】
【技術分野】
【０００１】
今日、多くの技術分野において、大きな電流値が伝達される。ここ数年において、現代の車両においても、特に電気自動車又はハイブリッド車両の分野においても、益々より大きな電流が伝達される。
【０００２】
特に接続エレメント及びコンタクトエレメントの使用時には、しばしば確実な接触に関する種々様々な要求が、低い電気抵抗や長い耐用寿命と同時に課せられる。追加的に、自動車における使用時には、例えば発生する振動又は使用条件に因る温度変化に基づいて、プラグインコネクタに対するさらなる特別な要求が課せられることがある。
【０００３】
独国特許出願公開第１０２００４０２９８３４号明細書には、複数の巻条を備えたコイルばねとして形成された電気的なコンタクトエレメントが記載されている。巻条は多角形の形をしており、これによって大電流を伝達することができる。このとき小さな差込み力及び高い誤差補償が与えられている。
【０００４】
発明の開示
本発明は、以下に記載の思想及び考察に基づいている。大電流用プラグインコネクタでは、コンタクトピン又はピンとコンタクトスリーブとの間における接触及び電流伝達のために、しばしばばね弾性的なコンタクトエレメントが使用され、このようなコンタクトエレメントは、例えばコンタクトスリーブから内側に向かって突出する縦長のコンタクト舌片として形成されている。このようなコンタクト舌片は、例えばコンタクトスリーブに不動に結合されていてもよい。電気的な接続部は、コンタクトスリーブへのコンタクトピンの導入によって形成することができる。ばね弾性的なコンタクトエレメントによって、コンタクトピンを機械的にコンタクトスリーブ内において保持し、かつコンタクトピン・コンタクトスリーブ装置の場合によっては生じる誤差を補償することが望まれている。
【０００５】
このようなばね弾性的な圧縮特性は、例えば比較的薄い横断面を有する多数のコンタクト舌片によって得ることができる。比較的多数のコンタクト舌片は、場合によっては比較的多数の接点を可能にすることができ、このことは、全電流値が所定されている場合、好適に、それぞれ１つの接点において伝達される電流値を減じることができ、コンタクト舌片とコンタクトピンとの間における全伝達抵抗を減じることができる。しかしながらコンタクト舌片の比較的厚い横断面は、コンタクト舌片の内部における比較的低い直列電気抵抗に関して、かつコンタクトピンへのコンタクト舌片の比較的大きな圧着力に関して好適なことがある。コンタクト舌片における部分的に逆のこのような要求の転換は、多くの場合、好適な態様に関する妥協案を必要とすることがある。
【０００６】
発明のまとめ
本発明の構成を用いて、特に、プラグインコネクタ、特に大電流用プラグインコネクタの機械的及び電気的な特性を改善することができる。
【０００７】
従って本発明の１つの観点によれば、大電流用プラグインコネクタを形成する、円筒形のコンタクトピンを収容するブシュが提案される。大電流プラグインコネクタは、中空円筒形に環状の内壁を備えたコンタクトスリーブと、中空円筒形のコンタクト装置であって、コンタクトスリーブと、該コンタクトスリーブの、内壁によって取り囲まれた内側領域に挿入されたコンタクトピンとの間の中間域において延在するように、構成されたコンタクト装置と、を有している。コンタクト装置は、複数の縦長のコンタクト舌片を有していて、該コンタクト舌片は、コンタクト装置の内側領域へのコンタクトピンの挿入時に、該コンタクトピンとコンタクトスリーブとの間において機械的及び電気的な接触部を形成するように、構成されている。コンタクト装置は、コンタクトスリーブの内側領域内に配置されていて、コンタクト装置はその周方向においてコンタクトスリーブの内壁に沿って延びていて、その外壁の少なくとも一部で内壁に支持されている。コンタクト装置は、その両端面側にそれぞれ、周方向において環状に延びる、第１のカラー及び第２のカラーを有している。コンタクト舌片は、第１のカラーと第２のカラーとの間において延びていて、それぞれの端部でカラーに結合されている。本発明に係るブシュは、１つのコンタクト舌片が、第１のカラーと第２のカラーとの間の領域においてアームを有しており、該アームを介してコンタクト舌片は追加的に、コンタクト装置の１つのカラーと支持作用を有するように結合されていることを特徴とする。
【０００８】
本明細書の文脈において、より良好な可読性のために、「１つのコンタクト舌片」という概念は、「正確に１つのコンタクト舌片」に制限して理解されるべきではない。この概念はむしろ「少なくとも１つのコンタクト舌片」として、もしくは「コンタクト舌片のうちの少なくとも１つ」と理解することができ、つまりこの概念は、複数のコンタクト舌片又はすべてのコンタクト舌片をも意味することができる。従って同様に、「前記コンタクト舌片」という表現は、「前記少なくとも１つのコンタクト舌片」もしくは「前記コンタクト舌片のうちの少なくとも１つ」を意味している。
【０００９】
コンタクト舌片に追加的に設けられたアームが、局部的に間隔をおいたポジションにおいてカラーに支持されていることによって、コンタクト舌片もしくはアームとコンタクトピンとの間における比較的大きな圧着力を得ることができ、これによってより僅かな電気抵抗、より高い機械的安定性及びより良好な耐摩耗性が得られる、ということに利点を見ることができる。さらに、アームによってさらに別の電流路が得られ、この電流路によって、電流のより良好な局部的な分配、及びこれによって、特により小さな横断面を有するコンタクト舌片の領域における局部的な電流強さを小さくすることができる。
【００１０】
コンタクトスリーブはこのとき導電性であってよく、その外側面に機械的な保護及び絶縁のために追加的に例えばプラスチック層又は、絶縁性をもって被着された電気的なシールドを有することができる。さらにコンタクトスリーブは、相応の接続装置を介して電気的及び機械的に接続導体に接続されていてもよい。
【００１１】
コンタクト装置は、その中空円筒形状において、例えば、側面において舌片の間に縦長の切欠きを有する舌片ケージとして理解することができる。コンタクト装置のこの構造は、例えば金属薄板の打抜き加工と、次いで行われる、中空円筒形状への曲げ加工によって製造することができる。特に、コンタクト装置は一体に形成されていてもよい。
【００１２】
コンタクト舌片及びアームは、種々様々な形状を有することができ、例えば等しい幅の条片又は異なった部分幅の条片であってよい。コンタクト舌片の長さは、例えば１５〜２０ｍｍであり、幅は例えば２〜５ｍｍであってよい。アームは、コンタクト舌片と一体に構成されていてもよいが、しかしながらまた、コンタクト舌片又はカラーに導電接触していてもよい。このとき１つの例では、アームは一体にカラーから突出していて、支持作用をもってコンタクトエレメントに接触していてもよい。
【００１３】
本発明の１つの態様では、コンタクト舌片は、アームと共にＹ字形に形成されている。Ｙ字形は、これによって生じる、アームを備えたコンタクト舌片の全部で３つの脚が、コンタクト舌片の、周方向において静的な観点で安定したポジションを可能にすることができる、という利点を有することができる。言い換えればコンタクト舌片は、一方のカラーにおいて少なくとも２つのポイントで固定され、かつ他方のカラーにおいて１つのポイントで固定されている。１つの例では、アームを備えたコンタクト舌片は、一方のカラーにおいて、他方のカラーに比べて少なくとも１つ多い別のポイントで支持されている。さらに１つもしくは複数のアームによって、コンタクトピンもしくはコンタクト舌片との間もしくはコンタクトスリーブとコンタクト舌片との間における追加的なコンタクトポイントの可能性が生ぜしめられる。
【００１４】
別の態様においては、コンタクト舌片のアームは、隣接したコンタクト舌片に支持されている。間に配置されたアームを備えた、隣接した２つのコンタクト舌片は、Ｈ字形を形成することができる。この構成は、コンタクト装置の全体的な安定性を高めることができ、かつアームと隣接したコンタクト舌片とを介してさらに追加的な電流路を形成することができる、という利点を有することができる。アームはこのとき例えば、第１及び第２のコンタクト舌片と一体に成形されていてもよい。別の例では、アームはコンタクト舌片と一体に形成されていて、支持作用をもって隣接したコンタクト舌片に接触している。
【００１５】
別の態様では、コンタクト舌片及び／又はアームは、コンタクト装置の半径方向における複数の湾曲部を有しており、該湾曲部は、それぞれコンタクトピン又はコンタクトスリーブと接触するように構成されている。湾曲部の利点としては、特にコンタクト舌片を介して電流路の長さを制限することができる確定された多数の接点を挙げることができる。１つの例では、湾曲部を備えたコンタクト舌片は、ばね鋼から製造されていて、これによって半径方向におけるばね弾性的な収縮を可能にすることができる。湾曲部はその縦断面において、コンタクトスリーブの長手方向軸線に対して平行に、波形の形状を有することができ、しかしながらまた別の適宜な形状を有することもできる。
【００１６】
別の態様において、コンタクト舌片及びアームの空間的な配置及び湾曲部の空間的な配置は、隣接したコンタクト舌片の最大湾曲部がコンタクトスリーブの周方向において互いにずらされて配置されているように構成されている、もしくは隣接したコンタクト舌片の最大湾曲部が、長手方向軸線に対して垂直な平面への軸方向における投影図において、コンタクトスリーブのこの投影図の周囲に沿って、互いにずらされてもしくは互いに隣接して配置されているように構成されている。この構成は、コンタクトピンにおけるコンタクト箇所がより均一に全周にわたって分配されている、という利点を有することができる。言い換えれば、この構成によって、コンタクトピンの差込み時に複数の接点が同時に、コンタクトスリーブの軸方向に延びる１つの同じ母線に沿って滑るということを、回避することができる。これによって例えばコンタクトピンの表面における摩耗を減じることができる。
【００１７】
別の態様において、コンタクト装置は、コンタクト舌片の湾曲部が変位力を加えられたときにコンタクトスリーブの内壁に向かって弾発的に縮み、これによってコンタクト装置の全長が伸長するように構成されている。この態様は、弾発的な収縮がコンタクトスリーブにおけるコンタクトピンの係止を可能にすることができ、さらに、生ぜしめられた圧着力によって良好な電気的な接触を達成することができる、という利点を得ることができる。
【００１８】
半径方向の運動によって、コンタクト舌片の部分領域は、コンタクトスリーブの内壁に沿ってもしくはコンタクトピンの表面に沿って、軸方向に移動させられる。これによってコンタクト装置の全長が増大する。
【００１９】
本発明の別の態様では、コンタクト装置は、カラーのうちの１つにおいてコンタクトスリーブに結合されている。これによって、コンタクトスリーブの内部におけるコンタクト装置の確定されたポジションを得ることができ、かつ、コンタクト装置とカラーとの間及び／又はコンタクト装置とコンタクトスリーブとの間における追加的な電気的な接触部をも得ることができる。このような結合形態もしくは接続形態は、コンタクトピンが差し込まれていない場合にコンタクトスリーブの内部領域からのコンタクト装置の滑り出しを回避するために役立つことができる。例えばカラーは、溶接ポイントによってコンタクトスリーブに結合されていてもよい。
【００２０】
本発明の別の態様では、コンタクトスリーブの一方の端面側に配置されたカラーは、突出部を有していて、該突出部は、コンタクトスリーブの端面側の縁部を越えて突出しており、例えば半径方向において縁部を越えて突出しかつ該縁部を例えば取り囲んでいる又は該縁部に被さっており、これによってコンタクトスリーブ内へのコンタクト装置の進入する動きが制限される。この態様は、コンタクトスリーブの横断面へのコンタクトピンの差込み時に、これによって生じるコンタクト装置との摩擦によって、コンタクト装置が不都合に大きくコンタクトスリーブの内部に押し込まれない、という利点を有することができる。このような突出によって、コンタクトスリーブの端面は抑え面として使用されることができる。１つの例では、突出部は例えば溶接ポイントを用いて持続的にコンタクトスリーブの端面に固定されている。
【００２１】
別の態様において、コンタクト装置は、その長手方向長さ全体にわたって間隙を有している。これによってこの間隙は、両方のカラーをも貫いて延びている。本発明の別の態様において、コンタクト装置は、該コンタクト装置のカラーの周囲が弾性的に拡開可能であり、かつコンタクト装置のカラーが拡開されていない状態において少なくとも部分的にコンタクトスリーブの内壁から間隔をおいて位置するように、構成されている。
【００２２】
この態様は、コンタクト装置を簡単に例えば比較的小さな周囲を通してコンタクトスリーブの内部領域に導入することができ、しかも差し込まれたコンタクトピンでは、コンタクト装置の可能な限り大きな領域が、コンタクトスリーブの内壁に接触することができる、という利点を有することできる。言い換えれば、間隙もしくは弾性的な拡開可能性は、コンタクトピンがコンタクト装置の横断面に導入される場合に、コンタクトスリーブの内部におけるコンタクト装置の周囲の制限された増大を可能にする。
【００２３】
本発明の別の観点では、上に記載したようなブシュを有する大電流用プラグインコネクタが提案される。例えば、大電流プラグインコネクタは、ブシュと相応に寸法設定されたコンタクトピンとから成っており、このコンタクトピンは、電気的及び機械的な接続部もしくは結合部を形成するためにブシュ内に差し込まれるように構成されている。大電流プラグインコネクタは、特に、例えば５０〜３００Ａの範囲における大電流が発生する使用分野における使用によって特徴付けることができる。
【００２４】
さらに付言すると、本発明に係るブシュの可能な特徴及び利点は、種々様々な態様に関連して記載されている。個々の特徴を適宜に互いに組み合わせて又は交換して、さらに別の態様及び可能なシナジー効果を得ることが可能であることは、当業者にとって自明である。
【００２５】
次に図面を参照しながら本発明の実施の形態を説明する。なお本発明は、以下に記載の説明及び図面に制限されるものではない。
【図面の簡単な説明】
【００２６】
【図１】図１Ａは、コンタクト装置を備えた本発明に係るブシュを示す斜視図であり、図１Ｂは、コンタクト装置を備えた本発明に係るブシュを示す縦断面図である。
【図２】本発明に係るブシュのコンタクト装置の１つの例を示す縦断面図である。
【図３】図３Ａ〜図３Ｃは、本発明に係るブシュのコンタクト装置の１つの例を、それぞれ異なった方向から見た斜視図である。
【図４】図４Ａは、本発明に係るブシュのコンタクト装置の１つの例を示す側面図であり、図４Ｂは、同じ例を別の方向から見た斜視図である。
【００２７】
図面は、単に略示されたものであり、その縮尺は実物に忠実ではない。同じ符号は、図面において同じ特徴又は同じ作用を有する特徴を示している。
【００２８】
図面の詳細な説明
図１Ａには、コンタクトスリーブ１２を備えたブシュ１０の簡単化された構造が示されている。コンタクトスリーブ１２は、ここに示した例では、コンタクトピン（図示せず）を差込みために使用される側の縁部に、ロックのために周方向において少なくとも１つの凹部１４と少なくとも１つのロックピン１６とを有し、図示の実施の形態では、各３つの凹部１４とロックピン１６とを有している。凹部１４及びロックピン１６は、ブシュ１０の追加的な特徴として理解することができ、これらの特徴は、機械的な安定化のために作用することができる。コンタクトスリーブ１２の内部領域１８には、コンタクト装置２０が配置されている。このコンタクト装置２０は、コンタクトスリーブ１２の端面に向けられた側に、半径方向における複数の突出部２２を有しており、これらの突出部２２は、コンタクトスリーブ１２の端面に接触していて、コンタクトピン（図示せず）の差込み時にコンタクトスリーブ１２の内部領域１８にコンタクト装置２０が内方に向かってさらに大きく不都合に移動することが阻止されるようになっている。突出部２２の軸方向における支持も可能である。追加的にコンタクトスリーブ１２はケーブル側端部２４に、接続ケーブル（図示せず）のための接続可能性を有していてもよい。
【００２９】
図１Ｂには、図１Ａに示したブシュ１０が縦断面図で示されている。コンタクト装置２０は、その外壁でコンタクトスリーブ１２の中空円筒形の内壁２６に接触している。コンタクト装置２０は、その周囲が、内側領域１８内に挿入されるコンタクトピン（図示せず）とコンタクトスリーブ１２の内壁２６との間における中間域内において延在している。コンタクト装置２０はその周方向において、コンタクトスリーブ１２の内壁２６に沿って延びていて、少なくともその外壁の一部で、内壁２６に支持されている。例えばコンタクト装置２０は、カラー側の接点２８において内壁２６に接触している。内側領域１８に向かってのコンタクト装置２０の軸方向移動は、半径方向に形成された複数の突出部２２によって制限されている。
【００３０】
図２には、コンタクト装置２０の１つの例が、縦断面図で示されている。コンタクト装置２０は、第１のカラー３０と第２のカラー３２とを有している。第１のカラー３０と第２のカラー３２との間には、アーム３６で追加的に第１のカラー３０もしくは第２のカラー３２に支持されているコンタクト舌片３４がそれぞれ延びている。択一的に、コンタクト舌片３４は、カラー３０，３２からアーム３６を介して、反対側に位置するカラー３２，３０に延びていてよく、このとき支持は、コンタクト舌片３４の平行に延びる領域を介して行われる。言い換えれば、コンタクト舌片３４は、アーム３６と共にＹ字形の形状を有している。
【００３１】
コンタクト装置２０の全周にわたって、それぞれアーム３６を備えて形成されたＹ字形のコンタクト舌片３４は、第１のカラー３０と第２のカラー３２との間において、択一的に、直立したＹ字形としてか又は逆様のＹ字形として形成されている。言い換えれば、第１のコンタクト舌片３４では、例えばこの第１のコンタクト舌片３４のアーム３６が、第２のカラー３２と支持作用をもって結合されており、これに対して、この第１のコンタクト舌片３４に隣接したコンタクト舌片３４では、そのアーム３６が第１のカラー３０と支持作用をもって結合されている。第１のコンタクト舌片３４に対する次の次の隣接部材は、新たに、第１のコンタクト舌片３４と同じ方向付けを有しており、つまりそのアーム３６は、再び第２のカラー３２と支持作用をもって結合されている。この交互のパターンによって、コンタクト装置２０の周囲の面積は、好適に極めて密に、コンタクト舌片３４もしくはそのアーム３６の材料によって覆われる。
【００３２】
コンタクト装置２０は軸方向に沿って見て、そのコンタクト舌片３４に、半径方向内側に向けられた第１の湾曲部３８、半径方向内側に向けられた第２の湾曲部４０及び、両湾曲部３８，４０の間に配置されていて半径方向外側に向けられた湾曲部４２を、それぞれ１つずつ有している。言い換えれば、軸方向における縦断面図で見て、コンタクト舌片３４の波形の形状が生ぜしめられている。内側に向けられた第１の湾曲部３８及び内側に向けられた第２の湾曲部４０は、両湾曲部３８，４０がそれぞれその最大湾曲部において、差し込まれたコンタクトピン（図示せず）との接点を形成するように構成されている。このとき差し込まれたコンタクトピンは、外側に向けられた接触力４４を、内側に向けられた第１の湾曲部３８及び内側に向けられた第２の湾曲部４０を介して、コンタクト装置２０のコンタクト舌片３４もしくはアーム３６に加える。外側に向けられた湾曲部４２は、その最大湾曲部において、コンタクトスリーブ１２の内壁（図１Ａ及び図１Ｂ参照）との接点を形成するように構成されている。このとき内壁２６は、内側に向けられた接触力４６を、第１のカラー３０、第２のカラー３２及び外側に向けられた湾曲部４２に対して加える。接触力４４，４６は、コンタクト装置２０を介して、コンタクトピンとコンタクトスリーブ１２との間における機械的及び電気的な接触を可能にする。コンタクト装置２０はさらに、コンタクトスリーブ１２の内部におけるコンタクト装置２０の軸方向における位置決めのために、突出部２２（ここでは例えば半径方向に形成されている）を有している。
【００３３】
図３Ａには、図２に示したコンタクト装置２０の、コンタクトピン側の接触箇所４８が示されており、これらの接触箇所４８はそれぞれ、第１の湾曲部３８及び第２の湾曲部４０（図２参照）の最大湾曲部に位置している。
【００３４】
図３Ｂには、図２に示したコンタクト装置２０の、コンタクトスリーブ側の接触箇所５０が示されており、これらの接触箇所５０は、コンタクト舌片３４の外側に向けられた湾曲部４２のカラー３０，３２及び最大湾曲部に位置している。
【００３５】
図３Ｃには、コンタクト装置２０の、矢印で示した電流路５２が示されている。例えば電流はコンタクトピン（図示せず）から、内側に向けられた第１及び第２の湾曲部と、コンタクト舌片３４及びアーム３６の電流路５２とを介して、つまりコンタクトピン側の接触箇所４８からスリーブ側の接触箇所５０に、さらに導かれ、そしてコンタクトスリーブ１２の内壁２６に伝達される。各コンタクトピン側の接触箇所４８とスリーブ側の接触箇所５０との隣接した配置によって、コンタクトピンとコンタクトスリーブ１２との間における接点の数が高められると共に、短い電流路が設けられ、このことは、特に導体横断面が小さな場合に好適であり、かつ高い接触力４４，４６が生ぜしめられて好適である。言い換えれば、Ｙ字形のコンタクト舌片３４，３６、つまりコンタクト舌片３４及びそのアーム３６は、それぞれの脚で、コンタクトピンに接触し（これによってつまりコンタクト舌片３４毎にコンタクトピンとの接点が生ぜしめられる）、このときカラー３０，３２の環状の金属ストリップと外側に向けられた湾曲部４２とが、コンタクトスリーブ１２に接触する。このことは、全体として頑丈なデザインによる確実な接触及び改善された耐摩耗性を可能にすることができる。
【００３６】
図４Ａには、コンタクト装置２０が簡単化された縦断面図で示されている。差込み方向５４におけるコンタクト装置２０の横断面へのコンタクトピン（図示せず）の差込み時に、コンタクト舌片３４の湾曲部３８，４０，４２はそれぞれのアーム３６と一緒に変位及び変形する。これによってコンタクト装置２０の外面はコンタクトスリーブ１２（図１Ａ，図１Ｂ参照）の内壁２６に沿って、コンタクトスリーブ１２の長手方向に滑動し、これによって長手方向５８におけるコンタクト装置２０の長さを伸張させる。さらにコンタクト装置２０はその長手方向長さにわたって間隙５６を有している。
【００３７】
図４Ｂに示すように、間隙５６によって形成された片側及び長辺側における、このコンタクト装置２０の開口によって、コンタクト装置２０の周囲長６０は増大させられる。これによって一方ではばね弾性的な作用を得ることができ、かつ他方ではコンタクトスリーブ１２（図１Ａ，図１Ｂ参照）内におけるコンタクトピンの好適なクランプを達成することができる。さらに、コンタクトスリーブ１２の内壁２６におけるコンタクト装置２０の好適な大面積の接触を達成することができ、ひいてはより良好な接触を達成することができる。
【００３８】
さらに補足的に述べると、「有する」という表現は、他のエレメント又はステップを排除するものではなく、また「１つの」という表現は、複数を排除するものではない。さらに付言すると、上に述べた実施の形態を参照して記載した特徴又はステップは、上において記載した他の実施の形態の他の特徴又はステップと組み合わせて使用することも可能である。請求項における符号は、制限もしくは限定と見なすべきではない。
【図１Ａ】
2016529675.tif 000003
【図１Ｂ】
2016529675.tif 000004
【図２】
2016529675.tif 000005
【図３Ａ】
2016529675.tif 000006
【図３Ｂ】
2016529675.tif 000007
【図３Ｃ】
2016529675.tif 000008
【図４Ａ】
2016529675.tif 000009
【図４Ｂ】
2016529675.tif 000010
【国際調査報告】
2016529675.tif 000011
2016529675.tif 000012
2016529675.tif 000013
2016529675.tif 000014